(57)【要約】【課題】容易にウエストサイズを調整でき、かつ着脱のたびにウエストサイズの調整をしなくとも良い巻きスカートタイプの衣服を提供する。【解決手段】巻きスカートタイプのエプロン等の衣服（２）は、本体布（４）とウエストサイズを調整できる１対の固定具（６，８）とを備える。一方の固定具は、本体布の左右一方の上部表面に配置された布等を素材とする帯体（２２，４０）と、帯体を取り付けられた金具（２４，４２）と、金具に取り付けられた係合具（２６，４４）と、本体布の左右他方の上部裏面に配置された被係合具（２８，４６）とを備える。他方の固定部も同様の構成を有するが、それらは本体布に対して一方の固定具と左右及び表裏が逆になっている。着用者が金具を帯体に対して摺動させることによりウエストサイズが調整される。【選択図】図１
2017043871.tif 000002
【特許請求の範囲】
【請求項１】
巻きスカートタイプの衣服であって、
左右側端縁及び上端縁、並びに表裏を有する本体布と、
前記本体布の前記上端縁に近接して配置され、前記上端縁によってウエスト開口を画成するべく互いに協働する第１及び第２固定具とを備え、
前記第１固定具は、前記左右側端縁の一方の側における前記本体布の表側に前記上端縁に沿って配置されて両端部が固定されて中間部が固定されていない可撓性の第１帯体と、前記第１帯体の中間部に取り付けられた第１金具と、前記第１金具に取り付けられた第１係合具と、前記左右側端縁の他方の側における前記本体布の裏側に取り付けられて前記第１係合具と係合可能な第１被係合具とを備え、
前記第２固定具は、前記左右側端縁の前記他方の側の前記第１被係合具よりも該他方の側の端縁から離間した位置における前記本体布の裏側に前記上端縁に沿って配置されて両端部が固定されて中間部が固定されていない可撓性の第２帯体と、前記第２帯体の中間部に取り付けられた第２金具と、前記第２金具に取り付けられた第２係合具と、前記左右側端縁の前記一方の側の前記第１帯体よりも該一方の側の端縁に近接する位置における前記本体布の表側に取り付けられて前記第２係合具と係合可能な第２被係合具とを備え、
前記第１及び第２金具の各々は、対応する前記第１又は第２係合具が取り付けられて上下方向に延在する中央片と、前記中央片の左右に離間して配置されて上下方向に延在する左右１対の側片とを備え、前記第１及び第２帯体の各々は、対応する前記第１又は第２金具の前記中央片と前記１対の側片とに表裏方向において互いに相反する側で当接するように前記中央片と前記１対の側片との間に形成された２つの空間に挿通されたことを特徴とする巻きスカートタイプの衣服。
【請求項２】
前記第１帯体、前記第１金具、前記第１係合具及び前記第１被係合具は、それぞれ、前記第２帯体、前記第２金具、前記第２係合具及び前記第２被係合具と同一構造を有すると共に、前記本体布に対して左右及び表裏において互いに逆の位置に配置されたことを特徴とする請求項１に記載の巻きスカートタイプの衣服。
【請求項３】
前記第１及び第２帯体又は前記上端縁に近接する前記第１及び第２帯体に沿った部分に目盛りが表示されたことを特徴とする請求項１又は２に記載の巻きスカートタイプの衣服。
【発明の詳細な説明】
【技術分野】
【０００１】
本発明は、巻きスカート（ラップスカート）タイプの衣服、例えば、巻きスカート、並びに、巻きスカートタイプのエプロン、防寒服及び防護服等に関する。
【背景技術】
【０００２】
巻きスカートは、左右両側縁を有する布を着用者の臀部及び下腹部に巻きつけ、左右両側端部を重ね合わせて固定することにより、スカート状にして着用される。巻きスカート以外にも、同様の方法で着用されるエプロン、防寒服及び防護服等の衣服がある。
【０００３】
スカート等の下半身用衣服の多くは、脚部側において縫製等により左右の周方向に無端となっている。例えば、特許文献１には、上部に配置されたスライド式アジャスタによりウエストサイズの調整が可能なスカートが記載されている。このスライド式アジャスタでは、雌フック金具が、スライドレール上を移動可能であって、スライドレールに設けられた複数の係合突起と噛み合うことにより、ウエストサイズが調整される。
【０００４】
一方、巻きスカートタイプの衣服は、左右両端部が上下とも互いに縫製されていないため、重ね合わせる幅の調整手段を設ければ、上下方向の全体にわたって周方向のサイズが変わるため衣服の型を崩すことなくウエストサイズを大きく調整できる。また、巻きスカートタイプの衣服は、腰に巻きつけて着用するため、特許文献１に記載のスカートのようにウエスト開口から脚を出し入れして着脱する衣服より着脱が容易であるという利点を有する。例えば、特許文献２には、巻きスカートタイプの防寒用品が記載されている。この巻きスカートタイプの防寒用品は、２組の面ファスナーによって、ウエストサイズを調整しつつ左右両端部が互いに固定される。２組の面ファスナーはウエストの周方向に長手方向を有し、一方の組の面ファスナーは、防寒具の左端表面と右端に近接する部分の裏面とを締結し、他方の組の面ファスナーは、左端に近接する部分の表面と右端裏面とを締結している。
【先行技術文献】
【特許文献】
【０００５】
【特許文献１】特開２００５−３０７３９４号公報
【特許文献２】実用新案登録第３１４６３２２号公報
【発明の概要】
【発明が解決しようとする課題】
【０００６】
しかしながら、特許文献２に記載の衣服は、着脱のたびにウエストサイズを調整しなければならなかった。そこで、本発明は、衣服の型を崩さずにウエストサイズを大きく調整できるという利点を残しつつ、容易にウエストサイズを調整でき、かつ着脱のたびにウエストサイズの調整をしなくとも良い、巻きスカートタイプの衣服を提供することを目的とする。
【課題を解決するための手段】
【０００７】
本発明のある側面は、巻きスカートタイプの衣服（２）であって、左右側端縁（１０，１２）及び上端縁（１４）、並びに表裏を有する本体布（４）と、前記本体布の前記上端縁に近接して配置され、前記上端縁によってウエスト開口（１８）を画成するべく互いに協働する第１及び第２固定具（６，８）とを備え、前記第１固定具（６）は、前記左右側端縁の一方の側における前記本体布の表側に前記上端縁に沿って配置されて両端部が固定されて中間部が固定されていない可撓性の第１帯体（２２）と、前記第１帯体の中間部に取り付けられた第１金具（２４）と、前記第１金具に取り付けられた第１係合具（２６）と、前記左右側端縁の他方の側における前記本体布の裏側に取り付けられて前記第１係合具と係合可能な第１被係合具（２８）とを備え、前記第２固定具（８）は、前記左右側端縁の前記他方の側の前記第１被係合具よりも該他方の側の端縁から離間した位置における前記本体布の裏側に前記上端縁に沿って配置されて両端部が固定されて中間部が固定されていない可撓性の第２帯体（４０）と、前記第２帯体の中間部に取り付けられた第２金具（４２）と、前記第２金具に取り付けられた第２係合具（４４）と、前記左右側端縁の前記一方の側の前記第１帯体よりも該一方の側の端縁に近接する位置における前記本体布の表側に取り付けられて前記第２係合具と係合可能な第２被係合具（４６）とを備え、前記第１及び第２金具の各々は、対応する前記第１又は第２係合具が取り付けられて上下方向に延在する中央片（３０）と、前記中央片の左右に離間して配置されて上下方向に延在する左右１対の側片（３２）とを備え、前記第１及び第２帯体の各々は、対応する前記第１又は第２金具の前記中央片と前記１対の側片とに表裏方向において互いに相反する側で当接するように前記中央片と前記１対の側片との間に形成された２つの空間（３６）に挿通されたことを特徴とする。
【０００８】
この構成によれば、ウエストサイズの調整のために第１及び第２帯体に対して変位する第１及び第２金具は、第１及び第２帯体との摩擦力の強弱によって変位可能又は不能になる。すなわち、衣服が着用されていない状態では、第１及び第２帯体を撓ませることで摩擦力を減らし、第１及び第２金具を第１及び第２帯体上を左右に摺動させることができるが、衣服が着用された状態では、第１及び第２帯体に張力がかかるため、第１及び第２帯体は撓まずに第１及び第２金具は第１及び第２帯体に対して左右に摺動することができず、ウエスト寸法が安定する。さらに、衣服が着用されていない状態でも、所定の摩擦力が働くため、意図的に着用者が第１及び第２金具を動かさない限り、第１及び第２金具は第１及び第２帯体に対して左右に摺動しない。そのため、前回に衣服を着用した者と同一の者がこの衣服を着用するときは、その着用者は再度ウエストサイズを調整する必要はない。
【０００９】
本発明の他の側面は、上記構成において、前記第１帯体、前記第１金具、前記第１係合具及び前記第１被係合具は、それぞれ、前記第２帯体、前記第２金具、前記第２係合具及び前記第２被係合具と同一の構造を有すると共に、前記本体布に対して左右及び表裏において互いに逆の位置に配置されたことを特徴とする。
【００１０】
この構成によれば、第１固定具と第２固定具とにおいて共通の部品を用いることができ材料コストを抑制することができる。また、仮に、第１及び第２帯体を左右側端縁の同じ側の表面に配置すると２つの帯体の長さの分だけ配置スペースが必要となり、裏面側の第１及び第２被係合具の設置間隔も長くなるが、この構成によれば、左右の一方の側に左右に長い第１帯体と左右に短い第２被係合具とが配置され、他方の側に左右に長い第２帯体と左右に短い第１被係合具とが配置されるため、設置スペースが小さくなる。このように、第１固定具及び第２固定具の配置スペースが左右で略均等になるため省スペースとなり、本体布の左右両端部が互いに重なる部分が過大になることを抑制でき、本体布を小さくして材料コストを抑えることができる。
【００１１】
本発明の他の側面は、上記構成において、前記第１及び第２帯体又は前記上端縁に近接する前記第１及び第２帯体に沿った部分に目盛りが表示されたことを特徴とする。
【００１２】
この構成によれば、ウエストサイズの調整を行いやすくなる。
【発明の効果】
【００１３】
本発明によれば、容易にウエストサイズを調整でき、かつ着脱のたびにウエストサイズの調整をしなくとも良い巻きスカートタイプの衣服を提供することができる。
【図面の簡単な説明】
【００１４】
【図１】実施形態に係るエプロンを示す斜視図（非固定状態）
【図２】実施形態に係るエプロンを示す斜視図（固定状態）
【図３】実施形態に係るエプロンの固定具を示す拡大図
【図４】実施形態に係るエプロンの固体状態を示す拡大平面図
【発明を実施するための形態】
【００１５】
以下、図面を参照して本発明の実施形態を説明する。図１及び図２に示すように、巻きスカートタイプのエプロン２は、概ね矩形を呈する本体布４と、本体布４のウエスト部分の左右両側端部を互いに重ね合わせて締結するための第１固定具６及び第２固定具８とを備える。以下の説明において、裏面側を着用者に向けて広げた状態で本体布４を着用者の後方に配置したときに、着用者から見て左側に位置する部分及び部材を左部分及び左部材等と言い、右側位置する部分及び部材を右部分及び右部材等と言う。
【００１６】
本体布４は、左側端縁１０、右側端縁１２、上端縁１４及び下端縁１６、並びに表裏によって外形が画定される。エプロン２は、下腹部及び臀部を外囲するように本体布４を着用者に巻きつけ、着用者の前側で左右両側部を互いに重ね合わせた状態で固定することにより着用される。着用状態において、上端縁１４は、高さ方向において着用者のウエスト又は骨盤上部に位置して、ウエスト開口１８を画定し、下端縁１６は、高さ方向において着用者の脚部に位置して脚部開口２０を画定する。本実施形態では、右側端縁１２が左右重ね合わせた部分の表面側に配置され、左側端縁１０が裏面側に配置される。
【００１７】
本体布４は、１枚の生地から構成されてもよく、また、互いに縫製された複数の生地から構成されてもよい。着用者が歩きやすいように、本体布４の下端縁１６から上方に向けて１つ又は複数のスリット（図示せず）を形成してもよい。本体布４の左側端縁１０、右側端縁１２、上端縁１４又は下端縁１６から延出する付加部分（図示せず）があってもよい。付加部分は、本体布４を構成する生地から作られてもよく、本体布４とは別体の生地から作られてもよい。また、本体布４の表面にポケット（図示せず）等を設けてもよい。
【００１８】
エプロン２は、ウエストサイズが調整でき、かつ着用したとき上端縁近傍の左右両側部がそれぞれ固定されるように、２つの固定具、すなわち第１固定具６と第２固定具８とを備える。
【００１９】
第１固定具６によって、右側端縁１２近傍の上部が本体布４の左側表面の上部に固定される。図１〜図４に示すように、第１固定具６は、本体布４の左側上部表面に配置される第１帯体２２と、第１帯体２２が挿通された第１金具２４と、第１金具２４に取り付けられた第１係合具２６と、本体布４の右側上部裏面に取り付けられた第１被係合具２８とを備える。
【００２０】
第１帯体２２は、左右周方向に長手方向を有し、布等の可撓性を有する素材から形成される。第１帯体２２は、左側端縁１０から所定の幅だけ右方（エプロン２を着用して第１固定具６が着用者の前方にあるときの左方）に離間した本体布４の表面に上端縁１４に近接しかつ上端縁１４に沿って配置される。第１帯体２２は、左右両端部が本体布４に縫い合わされて固定され、中間部は本体布４に固定されていない。
【００２１】
第１金具２４は、概ね８の字を横にした形状を呈する平板からなる。第１金具２４の左右方向中央に配置される中央片３０は、第１帯体２２と略等しい上下方向長さを有し、上下方向の中央部が左右に広がるように左右両側縁は湾曲している。第１金具２４の左右には、中央片３０から離間した位置に左右１対の側片３２が配置され、中央片３０と１対の側片３２とは、上下それぞれに設けられた連結部３４によって互いに連結している。中央片３０、１対の側片３２及び連結部３４によって、左右２つの貫通孔３６が画定される。１対の側片３２の各々は、左右方向幅は略一定で概ね上下方向に延在するが、上下方向の中央部が外側に膨らむように湾曲している。貫通孔３６は、概ね上下方向に延在する長孔をなし、上下方向の中央部が外側に膨らむように湾曲している。第１金具２４は、本体布４及び第１帯体２２を傷めないように、外輪郭が湾曲していることが好ましい。
【００２２】
第１金具２４は、２つの貫通孔３６に第１帯体２２の中間部が挿通されることによって、第１帯体２２に支持されている。第１帯体２２は、中央片３０に対しては中央片３０の本体布４に対向する側の面に当接し、１対の側片３２に対しては１対の側片３２の本体布４に対向する面の反対側の面に当接するように、２つの貫通孔３６に挿通される。第１帯体２２が撓んでいるとき、第１金具２４は、左右方向に負荷を受けると第１帯体２２を左右に摺動する。第１帯体２２に張力が作用すると、第１帯体２２は撓み難くなるため、第１金具２４と第１帯体２２との間の摩擦力が増大し、第１帯体２２は、第１金具２４の左右方向への摺動を規制する。
【００２３】
第１係合具２６は、雄スナップボタンからなり、第１金具２４の中央片３０の第１帯体２２が当接していない側の面の左右及び上下方向の中央に取り付けられる。第１係合具２６を中央片３０に設けられた貫通孔（図示せず）に緩く受容させるように中央片３０に取り付け、第１係合具２６を第１金具２４に対して上下左右に微小範囲で変位可能とすることが好ましい。第１係合具２６が第１金具２４に対して上下に微小変位可能であることにより、第１金具２４の第１帯体２２に対する微小な上下方向変位を許容して、本体布４を正位置に保ったまま第１係合具２６の第１被係合具２８への係合が可能となる。また、第１係合具２６が第１金具２４に対して左右に微小変位可能であることは、第１固定具６と第２固定具８とにおけるサイズ調整幅の微小なずれを補う（サイズ調整については後述する）。
【００２４】
第１被係合具２８は、雄スナップボタンからなる第１係合具２６に係合する雌スナップボタンからなる。第１被係合具２８は、本体布４の裏面の右側端縁１２及び上端縁１４に近接した部分に配置される。第１被係合具２８を本体布４に固定し、かつ着用者が第１被係合具２８を第１係合具２６に押し付けやすくするため、本体布４の表面の第１被係合具２８に対応する位置には第１押しボタン３８が取り付けられている。
【００２５】
第１係合具２６と第１被係合具２８との組み合わせは、スナップボタンに代えて、ボタンとボタン穴や、フックとループのように係脱可能な他の公知の係合手段としてもよい。
【００２６】
第２固定具８によって、左側端縁１０近傍の上部が本体布４の右側裏面の上部に固定される。第２固定具８は、本体布４の右側上部表面に配置される第２帯体４０と、第２帯体４０が挿通された第２金具４２と、第２金具４２に取り付けられた第２係合具４４と、本体布４の左側上部裏面に取り付けられた第２被係合具４６とを備える。第２被係合具４６には第２押しボタン４８が取り付けられる。
【００２７】
第２帯体４０、第２金具４２、第２係合具４４、第２被係合具４６及び第２押しボタン４８の構造並びにこれらの部材間の配置及び相互作用は、それぞれ、第１帯体２２、第１金具２４、第１係合具２６、第１被係合具２８及び第１押しボタン３８の構造並びにこれらの部材間の配置及び相互作用に相当するため、説明を省略する。
【００２８】
第２帯体４０、第２金具４２、第２係合具４４、第２被係合具４６及び第２押しボタン４８の本体布４に対する配置は、それぞれ、第１帯体２２、第１金具２４、第１係合具２６、第１被係合具２８及び第１押しボタン３８の本体布４に対する配置と、左右及び表裏が逆になっている。すなわち、第２金具４２が取り付けられた第２帯体４０は、右側端縁１２から所定の幅だけ左方（エプロン２を着用して第２固定具８が着用者の前方にあるときの右方）に離間した本体布４の裏面に上端縁１４に近接しかつ上端縁１４に沿って配置される。第２被係合具４６は、本体布４の表面における左側端縁１０及び上端縁１４に近接した部分に配置される。第２被係合具４６を本体布４に固定し、かつ着用者が第２被係合具４６を第２係合具４４に押し付けやすくするため、本体布４の裏面における第２被係合具４６に対応する位置には第２押しボタン４８が取り付けられている。
【００２９】
第１帯体２２、第１被係合具２８、第２帯体４０及び第２被係合具４６は、上下方向において略同じ高さに位置し、左右方向に整合している。第１被係合具２８は、左右方向において右側端縁１２と第２帯体４０との間に位置し、第２被係合具４６は、左右方向において左側端縁１０と第１帯体２２との間に位置する。
【００３０】
エプロン２のウエストサイズは、着用者が、第１金具２４及び第２金具４２のそれぞれを第１帯体２２及び第２帯体４０に対して左右に摺動させることによって調整される。第１金具２４及び第２金具４２のそれぞれの第１帯体２２及び第２帯体４０に対する位置は、互いに関連しており、図４に示すように、本体布４の左上端部及び右上端部のそれぞれにしわができないように設定する。上述のように、第１係合具２６及び第２係合具４４を中央片３０に設けられた貫通孔（図示せず）に緩く受容させるように中央片３０に取り付け、第１係合具２６及び第２係合具４４を第１金具２４及び第２金具４２に対して左右に微小範囲で変位可能とすることにより、第１金具２４及び第２金具４２のそれぞれの第１帯体２２及び第２帯体４０に対する位置の誤差を許容できる。
【００３１】
第１金具２４及び第２金具４２のそれぞれの第１帯体２２及び第２帯体４０に対する位置調整は、着用前の状態又は本体布４を腰に巻いた状態で行う。第１帯体２２及び第２帯体４０又は両者の近傍の本体布４の部分に目盛り（図示せず）を設けておくと、第１金具２４及び第２金具４２の位置を互いに対応させながら着用前にウエストサイズを調整することが容易になる。目盛りは、目盛り線、記号、数値又は文字等によって構成され、目盛り線と記号、数値又は文字とを組み合わせてもよい。
【００３２】
第１帯体２２及び第２帯体４０を撓ませると、第１金具２４及び第２金具４２と第１帯体２２及び第２帯体４０との間の摩擦力が減少するため、着用者は第１金具２４及び第２金具４２を動かしやすくなる。
【００３３】
ウエストサイズの適切に調整した状態で、着用者が、第１係合具２６及び第２係合具４４のそれぞれを第１被係合具２８及び第２被係合具４６に係合してエプロン２を着用すると、図４に示すように、第１帯体２２及び第２帯体４０に張力がかかった状態となる。このとき、第１帯体２２及び第２帯体４０は、撓み難くなって第１係合具２６及び第２係合具４４との摩擦抵抗が増大し、第１係合具２６及び第２係合具４４は、第１帯体２２及び第２帯体４０に対して左右方向に摺動できずに固定される。よって、エプロン２の着用中に、ウエストサイズの意図しない変更が防止される。
【００３４】
さらに、エプロン２が着用されていない状態でも、第１金具２４及び第２金具４２と第１帯体２２及び第２帯体４０との間には摩擦力が存在するため、故意に動かされない限り、第１金具２４及び第２金具４２は、第１帯体２２及び第２帯体４０に対して変位し難い。そのため、着用者から取り外されたエプロン２を、前回着用した者と同一の着用者が着用するときは、ウエストサイズの再調整は不要である。
【００３５】
以上で具体的実施形態の説明を終えるが、本発明は上記実施形態に限定されることなく幅広く変形実施することができる。例えば、着用時に本体布の左端側の側部が右端側の側部の前に重なるようにしてもよい。この場合、第１固定具及び第２固定具の配置は、上記実施形態と本体布に対する表裏が逆になる。また、第１帯体及び第２帯体の第１金具及び第２金具の貫通孔の挿通方向を逆にしてもよい。この場合、第１係合具及び第２係合具は、第１帯体及び第２帯体に覆われないように、第１帯体及び第２帯体に対して上方又は下方にずれた位置に配置される。本発明は、巻きスカートタイプのエプロンだけでなく、まきスカート、並びに巻きスカートタイプの防寒服及び防護服等の衣服にも適用できる。
【符号の説明】
【００３６】
２...エプロン
４...本体布
６...第１固定具
８...第２固定具
１０...左側端縁
１２...右側端縁
１４...上端縁
１８...ウエスト開口
２２...第１帯体
２４...第１金具
２６...第１係合具
２８...第１被係合具
３０...中央片
３２...側片
４０...第２帯体
４２...第２金具
４４...第２係合具
４６...第２被係合具
【図１】
2017043871.tif 000003
【図２】
2017043871.tif 000004
【図３】
2017043871.tif 000005
【図４】
2017043871.tif 000006